(57)【要約】【課題】  上部折板と下部折板との連結部の破損を効果的に防止できるようにする。【解決手段】  上部折板Ａの下面側に固定してある上部金物１と、下部折板Ｂの上面側に固定してある下部金物２とを、折板折り曲げ部Ｄに沿う方向に相対移動可能、かつ、上下方向に係合可能に組み付けて、上部折板と下部折板とを上下に間隔を隔てて連結してある折板屋根構造であって、上部金物と下部金物とを、折板折り曲げ部に略直交する方向の横軸Ｘ周りで転動自在な転動部材２５を介して上下に接触させてある。【選択図】        図１
2006336244.tif 000002
【特許請求の範囲】
【請求項１】
上部折板の下面側に固定してある上部金物と、下部折板の上面側に固定してある下部金物とを、折板折り曲げ部に沿う方向に相対移動可能、かつ、上下方向に係合可能に組み付けて、前記上部折板と前記下部折板とを上下に間隔を隔てて連結してある折板屋根構造であって、
前記上部金物と前記下部金物とを、前記折板折り曲げ部に略直交する方向の横軸周りで転動自在な転動部材を介して上下に接触させてある折板屋根構造。
【請求項２】
前記上部金物と前記下部金物とに亘って前記折板折り曲げ部に略直交する横方向に挿通したボルトで、前記上部金物と前記下部金物とを上下方向に係合可能に組み付けて、前記上部折板と前記下部折板とを上下に間隔を隔てて連結するとともに、
前記上部金物又は前記下部金物のボルト挿通孔を前記折板折り曲げ部に沿って長い長孔に形成して、前記上部金物と前記下部金物とを前記折板折り曲げ部に沿う方向に相対移動可能に組み付け、
前記ボルトを前記上部金物及び前記下部金物のボルト挿通孔に回転自在に挿通して、前記転動部材を構成してある請求項１記載の折板屋根構造。
【発明の詳細な説明】
【技術分野】
【０００１】
本発明は、上部折板の下面側に固定してある上部金物と、下部折板の上面側に固定してある下部金物とを、折板折り曲げ部に沿う方向に相対移動可能、かつ、上下方向に係合可能に組み付けて、前記上部折板と前記下部折板とを上下に間隔を隔てて連結してある折板屋根構造に関する。
【背景技術】
【０００２】
上記折板屋根構造は、断熱や防音のために上部折板と下部折板とを上下に間隔を隔てて連結するとともに、上部折板と下部折板との温度差に起因する相対変位を許容して、上部折板と下部折板との連結部の破損を防止できるように、上部金物と下部金物とを折板折り曲げ部に沿う方向に相対移動可能、かつ、上下方向に係合可能に組み付けてある。
従来の折板屋根構造では、上部金物と下部金物とに亘ってボルトを挿通するとともに、そのボルトに螺合したナットを上部金物と下部金物とに締め付け力が作用するように締め付けて、上部折板と下部折板とを上下に間隔を隔てて連結するとともに、上部折板側の荷重を、ボルトを介して、下部金物側に伝達できるように設け、上部金物又は下部金物のボルト挿通孔を折板折り曲げ部に沿って長い長孔に形成して、上部金物と下部金物とを折板折り曲げ部に沿う方向に相対移動可能、かつ、上下方向に係合可能に組み付けてある（例えば、特許文献１参照）。
【０００３】
【特許文献１】実公平６−４４９７２号公報
【発明の開示】
【発明が解決しようとする課題】
【０００４】
このため、上部折板と下部折板とが相対変位しようとする際には、締め付け力に応じた大きさの摩擦力が上部金物と下部金物との間に作用することになるので、その摩擦力が上部折板と下部折板との相対変位に対する抵抗となり、上部折板と下部折板との温度差に起因する連結部の破損を効果的に防止できない欠点がある。
また、上部折板と下部折板との相対移動に伴って、ボルト外周面の特定箇所が長孔の内周面に対して摺動するので、年月が経過するうちに、ボルト外周面の特定箇所が摩耗してボルトの強度が低下し易く、この点においても、連結部の破損を効果的に防止できない欠点がある。
本発明は上記実情に鑑みてなされたものであって、上部折板と下部折板との連結部の破損を効果的に防止できるようにすることを目的とする。
【課題を解決するための手段】
【０００５】
本発明の第１特徴構成は、上部折板の下面側に固定してある上部金物と、下部折板の上面側に固定してある下部金物とを、折板折り曲げ部に沿う方向に相対移動可能、かつ、上下方向に係合可能に組み付けて、前記上部折板と前記下部折板とを上下に間隔を隔てて連結してある折板屋根構造であって、前記上部金物と前記下部金物とを、前記折板折り曲げ部に略直交する方向の横軸周りで転動自在な転動部材を介して上下に接触させてある点にある。
【０００６】
〔作用及び効果〕
上部金物と下部金物とを、折板折り曲げ部に略直交する方向の横軸周りで転動自在な転動部材を介して上下に接触させてあるので、上部折板側の荷重を、転動部材を介して、下部金物側に伝達できるとともに、上部折板と下部折板との相対移動に伴って、転動部材が折板折り曲げ部に沿う方向に転動する。
従って、上部折板と下部折板とが相対変位しようとする際に、上部金物と下部金物との間に摩擦力が作用するおそれが少なく、上部折板と下部折板との相対変位に対する抵抗が少ないので、円滑に相対変位するとともに、転動部材が摩耗して強度が低下するようなおそれも少なく、上部折板と下部折板との連結部の破損を効果的に防止できる。
【０００７】
本発明の第２特徴構成は、前記上部金物と前記下部金物とに亘って前記折板折り曲げ部に略直交する横方向に挿通したボルトで、前記上部金物と前記下部金物とを上下方向に係合可能に組み付けて、前記上部折板と前記下部折板とを上下に間隔を隔てて連結するとともに、前記上部金物又は前記下部金物のボルト挿通孔を前記折板折り曲げ部に沿って長い長孔に形成して、前記上部金物と前記下部金物とを前記折板折り曲げ部に沿う方向に相対移動可能に組み付け、前記ボルトを前記上部金物及び前記下部金物のボルト挿通孔に回転自在に挿通して、前記転動部材を構成してある点にある。
【０００８】
〔作用及び効果〕
上部金物と下部金物とを上下方向に係合可能に組み付けて、上部折板と下部折板とを上下に間隔を隔てて連結するために、上部金物と下部金物とに亘って挿通してあるボルトと、上部金物と下部金物とを折板折り曲げ部に沿う方向に相対移動可能に組み付けるために、折板折り曲げ部に沿って長い長孔に形成してある上部金物又は下部金物のボルト挿通孔とを利用して、ボルトを上部金物と下部金物とに亘って折板折り曲げ部に略直交する横方向に挿通するとともに、ボルトを上部金物及び下部金物のボルト挿通孔に対して回転自在に挿通して、上部金物と下部金物とを上下に接触させる転動部材を構成してあるので、従来の折板屋根構造に改良を加えることで、簡便に、上部折板と下部折板との連結部の破損を防止できる。
【発明を実施するための最良の形態】
【０００９】
以下に本発明の実施の形態を図面に基づいて説明する。
〔第１実施形態〕
図１〜図３は本発明による折板屋根構造を示し、金属製の上部折板Ａと下部折板Ｂとを上下に間隔を隔てて連結して、上部折板Ａと下部折板Ｂとの間にグラスウールなどの断熱材Ｃを充填し、上部折板Ａの下面側に固定してある上部金物１と、下部折板Ｂの上面側に固定してある下部金物２とを折板Ａ，Ｂの折り曲げ部（折板折り曲げ部）Ｄに沿う方向に相対移動可能、かつ、上下方向に係合可能に組み付けてある。
【００１０】
前記上部折板Ａは、隣り合う上部折板Ａの端縁部どうしを重ね合わせるとともに、上部金物１に係止固定して、上部金物１と下部金物２とを介して、上下に間隔を隔てて下部折板Ｂに連結してある。
【００１１】
前記上部金物１は、下向きコの字状の金属製溝形部材２０と、上部折板Ａの端部を内向きに凹入させてあるくびれ部分４を載置するサドル金具５と、くびれ部分４を外れ止め状態に係止固定する固定金具６とを備え、くびれ部分４をサドル金具５と固定金具６との間に挟み込んだ状態で、溝形部材２０とサドル金具５と固定金具６とを、スプリングワッシャ７を挟んで、ボルト・ナット８で締め付け固定して、上部折板Ａの下面側に固定してある。
【００１２】
また、溝形部材２０とサドル金具５との間に樹脂製筒状断熱スペーサ２１を挟むとともに、溝形部材２０とボルト頭１０との間に樹脂製断熱板２２を挟み込んで、上部折板Ａと下部折板Ｂとに亘る熱伝導を防止してある。
【００１３】
前記下部折板Ｂは、隣り合う下部折板Ｂの端縁部どうしを重ね合わせて、その重なり部分を、躯体側に固定してあるタイトフレーム１２と下部金物２との間に挟み込むとともに、下部金物２と下部折板Ｂの重なり部分とに亘って貫通させたビス１３をタイトフレーム１２に締め付けて、下部金物２を下部折板Ｂの上面側に固定した状態で、タイトフレーム１２に一体に固定してある。
【００１４】
前記下部金物２は角筒状の金属製筒部材で構成して、折り曲げ部Ｄに沿って長い長孔２３を上面側に貫通形成し、筒部材２の内側に溝形部材２０を上下左右に間隔を隔てて略平行に入り込ませた状態で、断熱スペーサ２１をボルト２６と共に長孔２３に挿通して、上部金物１と下部金物２とを折り曲げ部Ｄに沿う方向に相対移動可能、かつ、上下方向に係合可能に組み付けてある。
【００１５】
そして、転動部材としての金属製の転輪２５を、溝形部材２０の内側に折り曲げ部Ｄに略直交する方向の横軸Ｘ周りで転動自在に支持して、上部金物１と下部金物２とを転輪２５を介して上下に接触させてある。
【００１６】
〔第２実施形態〕
図４，図５は本発明による折板屋根構造の別実施形態を示し、上部金物１は、角筒状の金属製筒部材３とサドル金具５と固定金具６とを備えていて、上部折板Ａのくびれ部分４をサドル金具５と固定金具６との間に挟み込んだ状態で、筒部材３とサドル金具５と固定金具６とを、スプリングワッシャ７を挟んで、ボルト・ナット８で締め付け固定して、上部折板Ａの下面側に固定してあり、下部金物２は、横断面形状が上向きコの字状の金属製溝形部材１４で構成してある。
【００１７】
前記筒部材３とサドル金具５との間に樹脂製断熱板９を挟むとともに、筒部材３とボルト頭１０との間に樹脂製断熱筒１１を挟み込んで、上部折板Ａと下部折板Ｂとに亘る熱伝導を防止してある。
【００１８】
前記上部金物１と下部金物２は、溝形部材１４の内側に筒部材３を略平行に入り込ませた状態で、折り曲げ部Ｄに沿った前後二箇所で、溝形部材１４と筒部材３とに亘って頭付きボルト１５を折り曲げ部Ｄに略直交する横方向、つまり、略水平に挿通し、それらのボルト１５に螺合したナット１６の夫々を締め付けて、上部金物１と下部金物２とを上下方向に係合可能に組み付けるとともに、上部折板Ａと下部折板Ｂとを上下に間隔を隔てて連結し、上部金物１と下部金物２とをボルト１５を介して上下に接触させてある。
【００１９】
また、筒部材３の各ボルト挿通孔を折り曲げ部Ｄに沿って長い長孔１７に形成して、上部金物１と下部金物２とを、折り曲げ部Ｄに沿う方向に相対移動可能に組み付けてある。
【００２０】
そして、ボルト１５に螺合したナット１６を締め付けて上部折板Ａと下部折板Ｂとを連結した状態で、ナット１６の締め付け力が筒部材３に作用しないように、溝形部材１４の溝幅Ｅ１を筒部材３の横幅Ｅ２よりも幅広に設定して、上部金物１と下部金物２とを折り曲げ部Ｄに直交する方向にも相対移動可能に組み付けるとともに、溝形部材１４にも締め付け力が作用しないように、ナット１６のボルト１５に対する締め込み深さを規制可能な規制部１８をボルト１５に設けて、ボルト１５を溝形部材１４及び筒部材３に対してボルト軸方向に相対移動可能に挿通してある。
【００２１】
前記規制部１８は、ボルト１５の有効ねじ部の長さを、ナット１６が緩まないように強く締め付けた状態で、ナット１６とボルト頭１９との対向間隔Ｆが、溝形部材１４のボルト長手方向に沿う幅Ｌよりも若干長くなる長さに設定して構成してある。
【００２２】
また、ボルト１５の雄ねじ部を形成していない軸部分２７を上部金物１及び下部金物２のボルト挿通孔１７，２８よりも小径、かつ、ボルト軸周りで円形の周面に形成して、上部金物１及び下部金物２のボルト挿通孔１７，２８に回転自在に挿通し、このボルト１５で、折り曲げ部Ｄに略直交する方向の横軸Ｘ周りで転動自在な転動部材２５を構成してある。
その他の構成は第１実施形態と同様である。
【００２３】
〔その他の実施形態〕
本発明による折板屋根構造は、上部金物と下部金物とを、球状の転動部材を介して上下に接触させてあっても良い。
【図面の簡単な説明】
【００２４】
【図１】折板屋根構造の縦断面図
【図２】要部の側面図
【図３】要部の平面図
【図４】第２実施形態の縦断面図
【図５】第２実施形態の要部の側面図
【符号の説明】
【００２５】
１    上部金物
２    下部金物
１５  ボルト
１７  ボルト挿通孔（長孔）
２５  転動部材
２８  ボルト挿通孔
Ａ    上部折板
Ｂ    下部折板
Ｄ    折板折り曲げ部
Ｘ    横軸
【図１】
2006336244.tif 000003
【図２】
2006336244.tif 000004
【図３】
2006336244.tif 000005
【図４】
2006336244.tif 000006
【図５】
2006336244.tif 000007